【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
対応する照射中心波長及び対応する照射許容差を含む、照射光路を画定する光線を発する第一の単色照射光源と、
前記照射光路中に配置された、対応するフィルタ中心波長及び対応するフィルタ許容差を含む帯域通過フィルタと
を含む照射光源であって、
前記フィルタ許容差が前記照射許容差の約半分以下であり、
前記フィルタ中心波長がほぼ前記照射中心波長から前記照射許容差を引いた値からほぼ前記照射中心波長に前記照射許容差を加えた値のほぼ範囲内にある照射光源。
【請求項２】
前記単色照射光源が発光ダイオード（ＬＥＤ）であり、
前記照射中心波長が約７００nmであり、
前記照射許容差が約２０nm以下である、請求項１記載の照射光源。
【請求項３】
前記フィルタから第一の方向に反射する別の照射光路を画定する光線を発する第二の照射光源を含み、前記第一の照射光源及び第二の照射光源が、前記フィルタに対し、前記第一の照射光源からの光線が前記フィルタを前記第一の方向に通過するように配設され、それによって前記第一及び第二の照射光源が同軸照射を提供する、請求項２記載の照射光源。
【請求項４】
前記第二の照射光源が、約９４０nmの対応する中心波長を含むＬＥＤである、請求項３記載の照射光源。
【請求項５】
前記第二の照射光源に対応する前記照射光路が、前記第一の照射光源に対応する前記照射光路に対してほぼ９０゜で配置されている、請求項３記載の照射光源。
【請求項６】
前記フィルタから第一の方向に反射する別の照射光路を画定する光線を発する第二の照射光源を含み、
前記第一の照射光源がＬＥＤであり、前記対応する照射中心波長が約６８０nm〜約９６０nmのほぼ範囲内であり、
前記第二の照射光源が、約５１０nm〜７４０nmのほぼ範囲内の対応する照射中心波長を含むＬＥＤであり、
前記第一の照射光源及び前記第二の照射光源が、前記フィルタに対し、前記第一の照射光源からの光線が前記フィルタを前記第一の方向に通過するように配設されている、請求項１記載の照射光源。
【請求項７】
前記第一の照射光源に対応する前記照射中心波長が約７００nm〜約７４０nmのほぼ範囲内であり、
前記第二の照射光源に対応する前記照射中心波長が約５１０nm〜約５５０nmのほぼ範囲内である、請求項６記載の照射光源。
【請求項８】
前記照射許容差が約２０nm以下である、請求項７記載の照射光源。
【請求項９】
対応する第一の中心波長を有し、第一の光路を発するように適合されている第一のＬＥＤと、
対応する第二の中心波長を有し、交差点で前記第一の光路と交差する第二の光路を発するように適合されている第二のＬＥＤと、
前記交差点に配置され、対応する帯域通過フィルタを有するビームスプリッタと
を含む読み取りヘッドであって、
前記第一のＬＥＤ、前記第二のＬＥＤ及び前記ビームスプリッタが、第一の方向に同軸照射を提供するように配設されており、
前記帯域通過フィルタが、前記第一のＬＥＤに対応する帯域幅と比べて比較的狭い通過帯域を含み、
前記同軸照射の少なくとも一部が試料から反射されて拡散反射光を生成し、
前記読み取りヘッドがさらに、前記拡散反射光の少なくとも一部を受けるように配置された検出器を含む読み取りヘッド。
【請求項１０】
前記第一のＬＥＤに対応する前記帯域幅が約１００nmであり、
前記狭い通過帯域が約２５nmである、請求項９記載の読み取りヘッド。
【請求項１１】
前記第一及び第二のＬＥＤが２０nm以下の対応する許容差を有し、前記帯域通過フィルタが１０nm以下の対応する許容差を有する、請求項９記載の読み取りヘッド。
【請求項１２】
前記検出器の上流側に光散乱部を含み、前記光散乱部が、９０゜を超える既定角で形成された複数の段を含む、請求項９記載の読み取りヘッド。
【請求項１３】
前記段が形成される前記既定角が約１００゜以上である、請求項１２記載の読み取りヘッド。
【請求項１４】
試料を試料開口に受け、その試料の分析に基づいてパラメータ値を測定するように適合されているモニタリングシステムにおける使用に適合されている読み取りヘッドであって、
対応する第一の中心波長及び第一の許容差を有し、第一の光路を発するように適合されている第一のＬＥＤと、
前記第一の光路中に配置された帯域通過フィルタを含み、対応する第一の中心波長及びフィルタ許容差を含むビームスプリッタと、
前記第一のＬＥＤ及び前記ビームスプリッタに対して配置され、対応する第二の中心波長及び第二の許容差を有し、前記ビームスプリッタと交差する第二の光路を発するように適合されている第二のＬＥＤと
を含む読み取りヘッドであって、
前記第二のＬＥＤ、前記ビームスプリッタ及び前記第一のＬＥＤが、前記第一及び第二のＬＥＤによる前記試料の同軸照射を提供するように配置されており、
前記フィルタ許容差が前記第一の許容差よりも小さく、
前記帯域通過フィルタが、前記第一のＬＥＤに対応する帯域幅と比べて比較的狭い通過帯域を含み、
前記読み取りヘッドがさらに、
同軸照射が通過する出口を画定する面であって、前記試料開口が、この面から所定の距離だけ離間し、前記同軸照射によって照射されるように配置されて、前記試料が前記試料開口の上に配置されると、前記試料が前記同軸照射の少なくとも一部を反射させる面と、
前記反射した照射から得られる拡散光を検出するように適合されている検出器と
を含む読み取りヘッド。
【請求項１５】
前記フィルタ許容差が前記第二の許容差よりも小さい、請求項１４記載の読み取りヘッド。
【請求項１６】
前記第一のＬＥＤの前記帯域幅が約１００nmであり、前記フィルタ通過帯域が約２５nmである、請求項１４記載の読み取りヘッド。
【請求項１７】
少なくとも前記第一のＬＥＤからの光が前記フィルタによってろ波される、請求項１４記載の読み取りヘッド。
【請求項１８】
前記第二のＬＥＤからの光が前記フィルタから反射して、前記第一のＬＥＤから前記フィルタを通過する光とで同軸照射を提供する、請求項１５記載の読み取りヘッド。
【請求項１９】
前記第二の中心波長が前記フィルタ中心波長及び前記第一の中心波長よりも大きい、請求項１４記載の読み取りヘッド。
【請求項２０】
前記フィルタ許容差が前記第二の許容差よりも小さい、請求項１９記載の読み取りヘッド。
【請求項２１】
前記フィルタ許容差が約１０nm以下である、請求項２０記載の読み取りヘッド。
【請求項２２】
前記第一の中心波長が約７００nmであり、前記第二の中心波長が約９４０nmである、請求項２１記載の読み取りヘッド。
【請求項２３】
前記検出器に対応する光散乱部を含み、前記光散乱部が、９０゜を超える一以上の角度を画定し、前記検出器の活動区域に達する内部迷光を減らすように配置された複数の段を含む、請求項１４記載の読み取りヘッド。
【請求項２４】
試料を試料開口に受け、その試料の分析に基づいてパラメータ値を測定するように適合されているモニタリングシステムにおける使用に適合されている読み取りヘッドであって、
対応する第一の中心波長を有し、第一の光路を発するように適合されている第一のＬＥＤと、
前記第一の光路中に配置されたビームスプリッタと、
前記第一のＬＥＤ及び前記ビームスプリッタに対して配置され、対応する第二の中心波長を有し、前記ビームスプリッタと交差する第二の光路を発するように適合されている第二のＬＥＤと
を含む読み取りヘッドであって、
前記第一及び第二の光路が前記ビームスプリッタと交差して、前記第一のＬＥＤ及び第二のＬＥＤからの光を含む照射ビームを形成し、
前記読み取りヘッドがさらに、
前記ビームが通過する出口を画定する面であって、前記試料開口が、この面から離間し、前記ビームによって照射されるように配置されて、前記試料が前記試料開口の上に配置されると、前記試料が前記ビームの少なくとも一部を反射させる面と、
活動区域と、前記反射したビームから得られる拡散光の少なくとも一部を受けるために配置されている検出開口とを含む検出器と、
前記検出器活動区域の上流側に配置され、９０゜を超える一以上の角度を画定する複数の段を含み、前記段が、前記検出器活動区域に対する内部迷光を減らすために斜めになるように配置されている光散乱部と
を含む読み取りヘッド。
【請求項２５】
前記複数の段によって画定される前記一以上の角度が約１００゜である、請求項２４記載の読み取りヘッド。
【請求項２６】
前記第二の中心波長が前記第一の中心波長よりも大きい、請求項２４記載の読み取りヘッド。
【請求項２７】
前記ビームスプリッタが、対応するフィルタ中心波長及びフィルタ許容差を有する帯域通過フィルタを含み、
前記フィルタ中心波長及びフィルタ許容差が、前記第一のＬＥＤからの前記ビームの前記光が前記第二のＬＥＤからの前記ビームの光の波長に等しい波長を有しないよう、前記第一のＬＥＤに対応する波長を前記第二のＬＥＤに対応する波長から分離するように選択される、請求項２６記載の読み取りヘッド。
【請求項２８】
前記第一のＬＥＤが、対応する第一の帯域幅及び第一の許容差を有し、
前記第二のＬＥＤが、対応する第二の帯域幅及び第二の許容差を有し、
前記ビームスプリッタがフィルタを含み、
前記フィルタが、前記第一の帯域幅及び前記第二の帯域幅と比べて比較的狭い、対応するフィルタ通過帯域を有する、請求項２６記載の読み取りヘッド。
【請求項２９】
前記フィルタが、ほぼ前記第二の中心波長に第二の許容差を加えた値よりも小さい、対応するフィルタ中心波長を有する、請求項２８記載の読み取りヘッド。
【請求項３０】
前記フィルタ中心波長がほぼ前記第一の中心波長に前記第一の許容差を加えた値よりも小さい、請求項２９記載の読み取りヘッド。
【請求項３１】
前記フィルタ中心波長がほぼ前記第一の中心波長から前記第一の許容差を引いた値よりも小さい、請求項３０記載の読み取りヘッド。
【請求項３２】
前記フィルタ中心波長がほぼ前記第一の中心波長から２０nmを引いた値よりも小さい、請求項３０記載の読み取りヘッド。
【請求項３３】
前記フィルタが約２０nmよりも小さい対応する許容差を有する、請求項３２記載の読み取りヘッド。
【手続補正２】
【補正対象書類名】明細書
【補正対象項目名】００１０
【補正方法】変更
【補正の内容】
【００１０】
本発明の目的は、改良された血液モニタリングシステムを提供することである。さらなる目的は、血液モニタリング装置、特にグルコースモニタリング装置に伴う部品の費用を減らすことである。
【手続補正３】
【補正対象書類名】明細書
【補正対象項目名】００２８
【補正方法】変更
【補正の内容】
【００２８】
検出器２４は、好ましい実施態様では、TAOS  LS250一体型検出・増幅器であり、４５゜反射軸に対して垂直に位置している。検出器２４は、約１．５０mm平方の活動区域（図示せず）を含む。拡散反射光の一部が、同じく１．５mm平方であり、４５゜で配置されている検出開口２８を通過する。従来のTAOSパッケージは、入射光を検出器２４の活動区域に集束させるため、検出開口２８の下流側に成形レンズ２６を含む。一般的には、読み取りヘッドハウジングは、検出開口２８の上流側に光散乱部３０を含む。光散乱部は、ほぼ直角に形成された複数の段３２を含む。
【手続補正４】
【補正対象書類名】明細書
【補正対象項目名】００３７
【補正方法】変更
【補正の内容】
【００３７】
図８及び９に示す２個の読み取りヘッドハウジング（１１、１１′）に光散乱段３２を９０゜（符号３４）及び１００゜（符号３６）の角度で設けた。簡潔に示すため、また、試験の可変要素を最小限にするため、１個のＬＥＤ１４を使用した。フィルタ及び第二のＬＥＤは、この角度段試験には組み込まなかった。段は、試料からの鏡面反射が検出器の活動区域２６に達することを防ぎ、内部迷光（すなわち、非拡散光）を減らすように設計されている。９０゜の段３４は、鏡面反射光線３８を反射して試料開口２２に戻す傾向が強く、光線３８′は、内部迷光として反射して検出器活動区域２６に戻ることができる。１００゜の段３６から反射する鏡面反射光線４０は、試料開口２２から離れる方向に向けられ、開口２２から反射した後、検出器活動区域２６に達する傾向は弱い。モデリング中、ミラー試料から反射率を計測して内部鏡面反射の排除率を測定した。９０゜の段３４を有する読み取りヘッドは０．１７％Ｒの鏡面反射率を示し、１００゜の段３６は０．０７％Ｒの鏡面反射率を示した。１００゜の段３６の設計は、内部迷光排除率の改善を提供する。